(57)【要約】      （修正有）【課題】使用者の衣服等を汚すことがないようにして、ベビーカーを肩に掛けて担いだ状態で持ち運ぶことができる、カート類を担ぐための補助具を提供する。【解決手段】ベビーカーを担ぐための補助具６０は、車輪と共に本体部分を折り畳み可能なカート類を担ぐためのものであって、長さを調整可能な長さ調整部材６２を有するベルト６１を備え、ベルトは、ベビーカー５０に対して着脱可能に取り付ける係止部６３ａ、６３ｂを有する。ベルトには、肩掛け用のベルトと、首掛け用のベルトを兼用することができるよう、肩掛け用のベルト部分６１ａと首掛け用のベルト部分６１ｂが設けられている。【選択図】図８
0003220065.tif 000002
【実用新案登録請求の範囲】
【請求項１】
車輪と共に本体部分を折り畳み可能なカート類を担ぐための補助具であって、
長さを調整可能な長さ調整部材を有するベルトを備え、
前記ベルトは、前記カート類に対して着脱可能に取り付ける係止部を有することを特徴とするカート類の補助具。
【請求項２】
前記ベルトは、前記カート類の前記本体部分の上下の部分に、それぞれ上下端側が着脱可能に取り付けられる左右１対の肩掛け用ベルトであり、
前記カート類を担ぐ背当て側に配設されるカバー本体部と前記カバー本体部の左右両端部から前側へ前記車輪の外側面を覆って折り込まれる左右１対の保護部とを有する汚れ防止カバーと、
前記汚れ防止カバーの前記保護部を前記車輪の外側面に当接保持しておく拘束部材と、
を備えることを特徴とする請求項１に記載のカート類の補助具。
【請求項３】
前記肩掛け用のベルトは、前記カート類の前記本体部分の前記上下の部分に各々対応して、リング状に形成されて前記本体部分に装着固定される解除可能な帯状の係止部を設けている、ことを特徴とする請求項２に記載のカート類の補助具。
【請求項４】
前記汚れ防止カバーは、前記カート類の前記本体部分に垂れ下げ状態で取り付けられ、前記カバー本体部の下端部分と前記左右１対の保護部の下端部分には、前記下端部分に沿って略水平に配設された棒状の錘部材を備える、ことを特徴とする請求項２又は請求項３に記載のカート類の補助具。
【請求項５】
前記汚れ防止カバーは、小物入れ用のポケットを有する、ことを特徴とする請求項２から４までのいずれか１項に記載のカート類の補助具。
【請求項６】
前記錘部材は、前記カバー本体部の前記下端部分に設けられた中央錘部材と前記保護部の前記下端部分に設けられた左右１対の保護用錘部材の、３つの錘部材に各々分割されているとともに、前記汚れ防止カバーの前記下端部分は前記中央錘部材と前記保護用錘部材との間で各々折り曲げ可能に形成されている、ことを特徴とする請求項２から５までのいずれか１項に記載のカート類の補助具。
【請求項７】
前記拘束部材は、前記カート類の前記車輪を前記汚れ防止カバーの外側から前記汚れ防止カバーと共に締め付け可能なバンドで形成されている、ことを特徴とする請求項２から６までのいずれか１項に記載のカート類の補助具。
【請求項８】
汚れ防止カバーは、前記カート類の前記本体部の背面に、折り畳んで吊り下げ可能に形成されている、ことを特徴とする請求項２から７までのいずれか１項に記載のカート類の補助具。
【請求項９】
前記ベルトは、肩掛け用のベルトと首掛け用のベルトを兼用できることを特徴とする請求項１に記載のカート類の補助具。
【考案の詳細な説明】
【技術分野】
【０００１】
本考案はカート類の補助具に関するものであり、特に、乳幼児等を乗せるベビーカーや、お年寄りの方が買い物をした品物を乗せて引くカートに使用する、携帯に便利なカート類の補助具に関するものである。
【背景技術】
【０００２】
従来、車輪を下側にして、本体部分を折り畳み可能にしたベビーカーが知られている（例えば、特許文献１参照）。
【０００３】
また、折り畳み可能なベビーカーを携帯して親子で外出をした際、階段の上り下りや、電車・バス等に乗車する時に、ベビーカーを折り畳んで持ち運ばなければならない状況に遭遇することもしばしば経験する。このような時に、親は子供を片手で抱き、他方の手でベビーカーを持ち運ばねばならない。
【０００４】
このような状況に対応するため、従来から提案されているベビーカーは、ベビーカー本体を軽量化する、あるいは持ち運ぶ時に腕を掛けて携帯し易い構造にする等の工夫がなされている。
【先行技術文献】
【特許文献】
【０００５】
【特許文献１】特開２０１５−１６８１８号公報
【考案の概要】
【考案が解決しようとする課題】
【０００６】
しかしながら、ベビーカーの持ち運びを要求される場所、特に階段や段差の大きい道路では、ベビーカーを大きく持ち上げる動作が必要となる。そのため、使用者である親等にとって、ベビーカーを持ち運ぶことが重労働となっている。
【０００７】
また、近年、高齢者の方に限らず、若い人の間でも、買い物をした品物や、持ち歩く荷物を乗せて道を歩くカートが普及しているが、このカートにおいても上述したベビーカーと同様な問題が生じている。したがって、本考案でのカート類とは、ベビーカーや品物や荷物を乗せて歩くカートをも含むものである。
【０００８】
そして、本考案は上記問題点に鑑みなされたものであり、カート類の持ち運び時に、使用者の負担を軽減しながら持ち運ぶことができる、カート類の補助具を提供することを目的としている。
【課題を解決するための手段】
【０００９】
（１）本考案は上記目的を達成するために提案されたものであり、カート類の補助具であって、車輪と共に本体部分を折り畳み可能なカート類を担ぐための補助具であって、長さを調整可能な長さ調整部材を有するベルトを備え、前記ベルトは、前記カート類に対して着脱可能に取り付ける係止部を有する。
【００１０】
（２）（１）の構成において、前記ベルトは、前記カート類の前記本体部分の上下の部分に、それぞれ上下端側が着脱可能に取り付けられる左右１対の肩掛け用ベルトであり、前記カート類を担ぐ背当て側に配設されるカバー本体部と前記カバー本体部の左右両端部から前側へ前記車輪の外側面を覆って折り込まれる左右１対の保護部とを有する汚れ防止カバーと、前記汚れ防止カバーの前記保護部を前記車輪の外側面に当接保持しておく拘束部材と、備える。
【００１１】
（３）（２）の構成において、前記肩掛け用のベルトは、前記カート類の前記本体部分の前記上下の部分に各々対応して、リング状に形成されて前記本体部分に装着固定される解除可能な帯状の係止部を設けている。
【００１２】
（４）（２）又は（３）の構成において、前記汚れ防止カバーは、前記カート類の前記本体部分に垂れ下げ状態で取り付けられ、前記カバー本体部の下端部分と前記左右１対の保護部の下端部分には、前記下端部分に沿って略水平に配設された棒状の錘部材を備える。
【００１３】
（５）（２）から（４）までのいずれかの構成において、前記汚れ防止カバーは、小物入れ用のポケットを有する。
【００１４】
（６）（２）から（５）までのいずれかの構成において、前記錘部材は、前記カバー本体部の前記下端部分に設けられた中央錘部材と前記保護部の前記下端部分に設けられた左右１対の保護用錘部材の、３つの錘部材に各々分割されているとともに、前記汚れ防止カバーの前記下端部分は前記中央錘部材と前記保護用錘部材との間で各々折り曲げ可能に形成されている。
【００１５】
（７）（２）から（６）までのいずれかの構成において、前記拘束部材は、前記カート類の前記車輪を前記汚れ防止カバーの外側から前記汚れ防止カバーと共に締め付け可能なバンドで形成されている。
【００１６】
（８）（２）から（７）までのいずれかの構成において、汚れ防止カバーは、前記カート類の前記本体部の背面に、折り畳んで吊り下げ可能に形成されている。
（９）（１）の構成において、前記ベルトは、肩掛け用のベルトと首掛け用のベルトを兼用できる。
【考案の効果】
【００１７】
本考案によれば、カート類の持ち運び時に、使用者の負担を軽減しながら高く持ち上げることができるカート類の補助具を提供することができる。使用者の衣服等を汚すことがないようにして、カート類を肩等に掛けて担いだ状態で持ち運ぶことができる。また、カート類を肩等に掛ける構造としたことにより、カート類を手で持ち運ぶ場合に比べて重量感が極めて軽減される。さらに、持ち上げる高さも大きくなるので、段差のある道路や階段の上り下りも楽になる。これにより、使用者の負担が軽減できる。
【００１８】
また、使用者の両手が空くので、両手を子供のためや、その他の荷物の携帯のために使用することができる。
【００１９】
さらに、左右１対の肩掛けベルトを個々に取り付けて使用することができるので、例えば片方の肩にだけ掛けて運ぶ場合は、片方の肩掛け用のベルトだけを取り付けて運ぶことができる。
【図面の簡単な説明】
【００２０】
【図１】本考案に係るカート類を担ぐための補助具における全構成部品の一覧を示す図である。
【図２】図１のＡ-Ａ線拡大断面図である。
【図３】同上補助具の各構成部品がカート類に取り付けられる箇所を説明するための分解斜視図である。
【図４】同上補助具における一部の構成部品がカート類に取り付けられている状態を示す斜視図である。
【図５】同上補助具をカート類に取り付け、使用状態を側面方向から見た斜視図である。
【図６】同上補助具をカート類に取り付け、使用状態を正面方向側から見た斜視図である。
【図７】本考案に係るベビーカーを担ぐための補助具の他の例を示す図である。
【図８】補助具をベビーカーに取り付けた状態を示す斜視図である。
【考案を実施するための形態】
【００２１】
以下、本考案を実施するための形態(以下、「実施形態」という)を、添付図面に基づいて詳細に説明する。なお、以下の説明では、上下や左右等の方向を示す表現は、絶対的なものではなく、本考案の補助具がベビーカーを一例としてなる補助具に取り付けて各部が描かれている姿勢である場合に適切であるが、その姿勢が変化した場合には姿勢の変化に応じて変更して解釈されるべきものである。また、実施形態の説明の全体を通して同じ要素には同じ番号を付している。
【００２２】
図１は本考案に係るカート類を担ぐための補助具１０(以下、単に「補助具１０」という)における構成部品の一覧を示す図であり、図２は図１のＡ−Ａ線拡大断面図、図３は補助具１０の各構成部品（後述する肩掛け用のベルト１１Ａ、１１Ｂ、汚れ防止カバー１２、バンド１３）がカート類であるベビーカー５０(以下、単に「ベビーカー５０」という)に取り付けられる箇所を説明するための分解斜視図、図４は補助具１０における一部の構成部品がベビーカー５０に取り付けられている状態を示す斜視図、図５及び図６は補助具１０をベビーカー５０に取り付けて使用している状態を示す斜視図である。
【００２３】
図３から図６に示すベビーカー５０は、折り畳み式ベビーカーとして公知のものである。図３から図６に示すベビーカー５０の概略構成を説明すると、ベビーカー５０は、乳幼児をシート５１に乗せて走行させる場合に使用する車体であり、ベビーカー５０の本体部分としてのフレーム５２や、左右１対の前輪５３Ａと左右１対の後輪５３Ｂとを有する車輪５３等を備えている。
【００２４】
ベビーカー５０のフレーム(本体部分)５２は、前脚ユニット５４と、後脚ユニット５５と、前脚ユニット５４の上端側を後脚ユニット５５の前側方向に回転させて前脚ユニット５４を後脚ユニット５５側へ平たく薄く折り畳み可能に連結している折り畳みユニット５６等で構成されている。また、前脚ユニット５４の下端側には左右１対の前輪５３Ａが左右に分かれて取り付けられており、後脚ユニット５５の下端側には左右１対の後輪５３Ｂが左右に分かれて取り付けられている。
【００２５】
なお、フレーム(本体部分)５２における前脚ユニット５４の上部、すなわち上側水平部５４ａは、手押し用ハンドル部として構成されている。また、前脚ユニット５４と後脚ユニット５５にはそれぞれ、下側横棒５７Ａ、５７Ｂが設けられている。下側横棒５７Ａは、前輪５３Ａの上方で、前脚ユニット５４の左右両端部に跨がって前脚ユニット５４に固定して取り付けられている。下側横棒５７Ｂは、後輪５３Ｂの上方で、後脚ユニット５５の左右両端部に跨がって後脚ユニット５５に固定して取り付けられている。
【００２６】
そして、このように構成されているベビーカー５０は、乳幼児をシート５１に乗せて走行させる場合は、前脚ユニット５４の上端側、すなわち上側水平部５４ａを後脚ユニット５５の後側方向に回転させて、前輪５３Ａが前側に移動された状態にすると、乳幼児が座るシート５１の部分が、図３及び図４に示すように概略水平に保持される。反対に、前脚ユニット５４の上端(上側水平部５４ａ)側を後脚ユニット５５の前側方向に回転させると、前輪５３Ａが後輪５３Ｂ側に移動されて、前輪５３Ａが後輪５３Ｂと前後方向で重ねられた状態になり、図５及び図６に示すようにベビーカー５０の全体が前後で重なり合って、平たく薄く折り畳みできるようになっている。
【００２７】
なお、ベビーカー５０の構造は、少なくとも全体が平たく薄く折り畳みできるものであれば、その他の構造を特に限定する必要はないが、後述する肩掛け用のベルト１１Ａ、１１Ｂが安定して取り付けられる、前脚ユニット５４における上側水平部５４ａと後脚ユニット５５の下側横棒５７Ｂ(前脚ユニット５５の下側横棒５７Ａでも可)が形成された構造を採用することが好ましい。
【００２８】
次に、補助具１０の構成を詳細に説明する。補助具１０は、図１及び図３に示すように、左右一対の肩掛け用のベルト１１Ａ、１１Ｂと、汚れ防止カバー１２と、結束部材であるバンド１３を備えている。
【００２９】
肩掛け用のベルト１１Ａ、１１Ｂは、本実施例では同一の構造として構成されている。肩掛け用のベルト１１Ａ、１１Ｂは、上下中間部分にそれぞれ長さ調整部材１４を設けており、長さ調整部材１４を操作することにより肩掛け用のベルト１１Ａ、１１Ｂの長さを使用者の体格及び好みに応じて任意に調整できるようになっている。また、肩掛け用のベルト１１Ａ、１１Ｂには、上部にベビーカー５０の上側水平部５４ａに着脱可能に取り付けられる係止部１５Ａを設けており、下部にベビーカー５０の下側横棒５７Ｂ（下側横棒５７Ａでも可）に着脱可能に取り付けられる係止部１５Ｂを設けている。
【００３０】
係止部１５Ａ、１５Ｂは、本実施例では同一の構造として構成されている。図１に示すように、係止部１５Ａ、１５Ｂは、肩掛け用のベルト１１Ａ、１１Ｂと交差した状態で、肩掛け用のベルト１１Ａ、１１Ｂの一面側に固定して取り付けられた帯状材となっている。係止部１５Ａ、１５Ｂの長手方向における両端部分には、それぞれ表裏面に分かれて面ファスナー１６Ａ、１６Ｂ、すなわちマジックテープ（登録商標）が取り付けられている。そして、係止部１５Ａ、１５Ｂの両端部分を同じ方向に屈曲させて、その両端部分の面ファスナー１６Ａ、１６Ｂ同士を重ね合わせると、図１に二点鎖線で、図３から図６に実線で示すリング状の係止部１５Ａ、１５Ｂを構成することができるようになっている。また、面ファスナー１６Ａ、１６Ｂ同士を互いに引き剥がすと、リング状の係止部１５Ａ、１５Ｂを、帯状の係止部１５Ａ、１５Ｂへと解除することができるようになっている。
【００３１】
したがって、係止部１５Ａをベビーカー５０における上側水平部５４ａの外周に巻き付けた状態で面ファスナー１６Ａ、１６Ｂを重ね合わせると、係止部１５Ａを介して肩掛け用のベルト１１Ａ、１１Ｂの各上部を上側水平部５４ａに着脱可能に取り付けることができる。また、係止部１５Ｂをベビーカー５０における下側横棒５７Ｂ（又は下側横棒５７Ａ）の外周に巻き付けた状態で面ファスナー１６Ａ、１６Ｂを重ね合わせると、係止部１５Ｂを介して肩掛け用のベルト１１Ａ、１１Ｂの各下部を下側横棒５７Ｂ（又は下側横棒５７Ａ）に着脱可能に取り付けることができる。さらに、取付後、面ファスナー１６Ａ、１６Ｂ同士を互いに強制的に引き剥がすと、係止部１５Ａ、１５Ｂのリング状態が各々帯状の係止部１５Ａ、１５Ｂへと解かれて肩掛け用のベルト１１Ａ、１１Ｂをベビーカー５０のフレーム（本体部）５２から取り外すことができる。
【００３２】
汚れ防止カバー１２は、ビニールシートを所定の形状に裁断し、外周部分を裏側（前側）に折り返して縫製したものであり、ベビーカー５０の後側（背面側）でフレーム（本体部分）５２に垂れ下げた状態で取り付けられる。汚れ防止カバー１２は、フレーム５２の背面の一部を覆うカバー本体部１２Ａと、カバー本体部１２Ａの両端からそれぞれ前側に折り込まれて車輪５３（前輪５３Ａ、後輪５３Ｂ）の外側面の略全体を覆う左右１対の保護部１２Ｂ、１２Ｂを一体に有している。
【００３３】
カバー本体部１２Ａの上部左右両部分側には、汚れ防止カバー１２をフレーム（本体部分）５２に垂れ下げた状態で取り付けておくための、取り付け紐１８、１８が取り付けられている。
【００３４】
汚れ防止カバー１２の下端側は、図１及び図２に示すように一部が裏面（前面）側に折り返されて縫製され、その縫製により、下端側に沿って水平方向に細長く延びる袋状部１９が形成されている。その袋状部１９の内部には、図２に示すように袋状の内径よりも若干小さな外径をした棒状の錘部材２０が挿入配置されている。
【００３５】
錘部材２０は、例えば樹脂材で形成されており、汚れ防止カバー１２の下端部に負荷を掛け、汚れ防止カバー１２の途中に生じる弛みを少なくして、汚れ防止カバー１２が綺麗に下側に向かって垂れ下がるようにする役目をするとともに、下端側に幅方向（左右方向）の皺が生じないようにする役目もする。したがって、錘部材２０の重量は、汚れ防止カバー１２の弛みを取り除くことができる程度の大きさであればよい。また、錘部材２０は、袋状部１９内でカバー本体部１２Ａと対応する位置に配置される中央錘部材２０ａと、左右の保護部１２Ｂ、１２Ｂと対応する位置に各々配置される保護用錘部材２０ｂ、２０ｂと、の３つに分割されている。さらに、中央錘部材２０ａと保護用錘部材２０ｂ、２０ｂとの各間には隙間Ｓが各々設けられている。したがって、汚れ防止カバー１２の下端部（袋状部１９内）に棒状の錘部材２０が配置されていても、隙間Ｓの部分で、保護部１２Ｂ、１２Ｂは、カバー本体部１２Ａの両端部分から車輪５３の側面側に向けて折り込み可能になっている。
【００３６】
バンド１３は、汚れ防止カバー１２がベビーカー５０に取り付けられ、また保護部１２Ｂ、１２Ｂが車輪５３の側面を覆うようにベビーカー５０に添えられた後から、ベビーカー５０と汚れ防止カバー１２の外側を回って取り付けられて、汚れ防止カバー１２をベビーカー５０に結束固定しておく役目をする。バンド１３には、その中間部分にベルト締め付け用の解除可能なバックル２２が取り付けられている。したがって、バンド１３はバックル２２を解除すると１本の細長い紐になり、またバックル２２に通すとリング状のバンドになる。なお、バックル２２の構造は、少なくともリング状に形成した部分の大きさを自由に変えて締め付けできるものであれば、構造を特に限定するものではない。
【００３７】
次に、このように構成された補助具１０を使用してベビーカー５０を担ぐ動作の一例を説明する。
【００３８】
まず、図３及び図４に示すように、ベビーカー５０が使用可能に展開されている状態において、左右一対の肩掛け用のベルト１１Ａ、１１Ｂにおける上側の係止部１５Ａ、１５Ａを、ベビーカー５０の上側水平部５４ａにそれぞれ、互いに左右方向に所定の距離だけ離して取り付けるとともに、下側の係止部１５Ｂ、１５Ｂを、ベビーカー５０の下側横棒５７Ｂにそれぞれ、互いに左右方向に所定の距離だけ離して取り付ける。
【００３９】
次に、汚れ防止カバー１２の取り付け紐１８を下側横棒５７Ｂに結んで、汚れ防止カバー１２をベビーカー５０の背面側、すなわちベビーカー５０を担ぐ背当て側に取り付ける。このようにして取り付けられた汚れ防止カバー１２は、下側横棒５７Ｂから地面に向かって垂れ下げられた状態になる。図４は、その左右一対の肩掛け用のベルト１１Ａ、１１Ｂと汚れ防止カバー１２をベビーカー５０に各々取り付ける途中の状態を示し、また保護部１２Ｂ、１２Ｂを隙間Ｓの部分で前側に折り込んで、後輪５３Ｂ、５３Ｂの側面を保護部１２Ｂ、１２Ｂで各々覆った状態を示している。
【００４０】
次に、ベビーカー５０の全体を平たく薄く折り畳む。すなわち、ベビーカー５０の前脚ユニット５４の上端(上側水平部５４ａ)側を後脚ユニット５５の前側方向に回転させる。すると、前輪５３Ａ、５３Ａが後輪５３Ｂ、５３Ｂ側に移動されて、前輪５３Ａ、５３Ａが後輪５３Ｂ、５３Ｂと前後で重ねられた状態になり、ベビーカー５０の全体が前後で重なり合い、平たく薄く折り畳まれる。そして、この状態では、保護部１２Ｂ、１２Ｂによりベビーカー５０の左右の車輪５３（後輪５３Ｂと前輪５３Ａ）が共に外側から覆われた状態になる。
【００４１】
次に、保護部１２Ｂ、１２Ｂがそれぞれ左右の車輪５３（後輪５３Ｂと前輪５３Ａ）の側面を覆うようにベビーカー５０に添えられた後から、ベビーカー５０と汚れ防止カバー１２の外側を回ってバンド１３を取り付け、かつ、バックル２２を介してバンド１３を締め付けると、汚れ防止カバー１２がバンド１３でベビーカー５０に結束固定される。これにより、ベビーカー５０の下側背面から側面に沿って汚れ防止カバー１２が取り付けられ、ベビーカー５０への保助具１０の取り付けが終わり、ベビーカー５０を肩等で担ぐ準備ができる。
【００４２】
このようにして補助具１０を取り付けたベビーカー５０、すなわち左右一対の肩掛け用のベルト１１Ａ、１１Ｂと汚れ防止カバー１２とバンド１３とを取り付けたベビーカー５０は、肩掛け用のベルト１１Ａ、１１Ｂを肩に掛けて背負うことにより、担ぐことができる。図５及び図６は、そのベビーカー５０を担いだ状態を示している。
【００４３】
図５及び図６に示すように、使用者が担いだ状態では、ベビーカー５０の泥等で汚れ易い車輪５３を含む下側の部分、特に使用者の衣服と接触しそうな泥等で汚れている部分を汚れ防止カバー１２が覆っているので、使用者がベビーカー５０を担いでも衣服を泥等で汚すことがない。
【００４４】
したがって、従来のベビーカーの持ち運びの仕方では、持ち運ぶ時にベビーカーの車輪が使用者のスカートやズボン等の衣服に触れ、衣服を汚してしまうという問題点があったが、本考案の補助具１０を使用した場合では、使用者の衣服等を汚すことがないようにして、ベビーカー５０を肩等に掛けて担いだ状態で持ち運ぶことができる。また、肩等に掛ける構造としたことによりベビーカー５０を手で持ち運ぶ場合に比べて重量感が極めて軽減される。さらに、持ち上げる高さも大きくなるので、段差のある道路や階段の上り下りも楽になる。これにより、使用者の負担が軽減できる。
【００４５】
また、使用者の両手が空くので、両手を子供とその他の荷物の携帯のために使用できる。
【００４６】
さらに、左右１対の肩掛け用のベルト１１Ａ、１１Ｂを個々に取り付けて使用することができるので、例えば片方の肩にだけ掛けて運ぶ場合は、片方の肩掛け用のベルト１１Ａ（又は１１Ｂ）だけを取り付けて運ぶことができる。
【００４７】
また、ベビーカー５０を担ぐ背当て側に取り付ける、汚れ防止カバー１２を備えているので、ベビーカー５０を担いだ時に、ベビーカー５０の汚れていた車輪５３が担いだ人の衣服に触れ、衣服が汚れるのを防止できる。
【００４８】
また、肩掛け用のベルトは、前記ベビーカー５０のフレーム５２の上下の部分に各々対応して、リング状に形成されてフレーム５２に解除可能に装着固定される係止部１５Ａ、１５Ｂを設けている。したがって、肩掛け用のベルト１１Ａ、１１Ｂの上下の部分に各々設けられている帯状の係止部１５Ａ、１５Ｂを、本体部分であるフレーム５２の上下の部分にそれぞれリング状に巻き付けることにより、肩掛け用のベルト１１Ａ、１１Ｂをフレーム５２に取り外し可能に取り付けることができる。
【００４９】
また、肩掛け用のベルト１１Ａ、１１Ｂに長さを調整可能な長さ調整部材１４を設けているので、長さ調整部材１４を使用して、使用者に適したベルト長に調整して使用することができる。
【００５０】
また、バー本体部１２Ａの下端部分と保護部１２Ｂの下端部分に、それぞれ下端部分に沿って略水平に配設された棒状の錘部材２０を設けているので、ベビーカー５０のフレーム５２に垂れ下げられた汚れ防止カバー１２は、全体が棒状の錘部材２０で下方に引っ張られ、皺を作ることなく体裁良く取り付けられる。
【００５１】
また、錘部材２０が、カバー本体部１２Ａの下端部分に設けられた中央錘部材２０ａと保護部１２Ｂの下端部分に設けられた左右１対の保護用錘部材２０ｂの、３つの錘部材に各々分割されている。さらに、汚れ防止カバー１２の下端部分は、中央錘部材２０ａと保護用錘部材２０ｂとの間で各々折り曲げ可能に形成されているので、カバー本体部１２Ａに対する保護部１２Ｂの折り曲げ（折り込み）を、所定の角度で体裁良く折り曲げることができる。
【００５２】
また、汚れ防止カバー１２の外側から汚れ防止カバー１２を、ベビーカー５０の車輪５３と共に締め付けるバンド１３を設けているので、前記ベビーカー５０の背当て側に汚れ防止カバー１２のカバー本体部１２Ａを取り付け、さらに、保護部１２Ｂを前側に折り込んで車輪５３の外側面を覆った後、バンド１３で締め付けることにより、汚れ防止カバー１２をベビーカー２０に確実に保持しておくことができる。
【００５３】
なお、本考案は、上記実施形態に限定されるものではなく、本考案の目的を達成できる範囲での変形、改良等は本考案に含まれるものである。
【００５４】
例えば、汚れ防止カバー１２の保護部１２Ｂ、１２Ｂは、車輪５３の後面から外側面を覆うようにした実施例を開示したが、車輪５３の外側面を通って前面側まで覆うようにしてもよいものである。このように保護部１２Ｂ、１２Ｂで車輪５３の前面側まで覆った場合では、使用者だけでなく、周囲の人の衣服等を汚すのを防止することができる。
【００５５】
また、錘部材２０は、必ずしも必要なものではない。さらに、錘部材２０に可撓性の部材を使用して、ベビーカー５０の車輪５３を含む下側の部分の形状に合わせて錘部材２０を屈曲できるようにすると、汚れ防止カバー１２の保護部１２Ｂ、１２Ｂ等をベビーカー５０に密着させて覆うことができる。
【００５６】
また、汚れ防止カバー１２は、汚れ防止カバー１２をベビーカー５０に使用するその都度、取り付け紐１８を下側横棒５７Ｂに結んで、ベビーカー５０の背面側に取り付ける場合に付いて説明した。しかし、汚れ防止カバー１２を予め取り付け紐１８でベビーカー５０の背面に取り付けておくと共に、カバー本体部１２Ａ上に左右の保護部１２Ｂを各々順に折り畳み、その後、カバー本体部１２Ａを下端側から順に上側に向かって丸めて折り畳み、それを図示しない紐や結束バンドで束ねた状態にして、吊り下げておくことも可能である。そして、使用する時に紐や結束バンドによる拘束を解き、前述したようにして使用することができる。
【００５７】
図７は、本考案に係るベビーカーを担ぐための補助具の他の例を示す図である。図８は、図７の補助具をベビーカーに取り付けた状態を示す斜視図である。
図７及び図８に示すように、この補助具６０は、ベルト６１を有する。このベルト６１には、長さを調整可能な長さ調整部材６２が設けられている。長さ調整部材６２を調整することにより、ベルト６１の長さを好みの長さに調整することができる。
ベルト６１は、ベビーカー５０に対して着脱可能に取り付ける係止部６３ａ、６３ｂ、６３ｃが設けられており、この係止部６３ａ、６３ｂ、６３ｃによって、ベルト６１をベビーカー５０のフレーム５２ａ、５２ｂ、５２ｃにそれぞれ着脱可能に係止することができる。係止部６３ａ、６３ｂ、６３ｃは例えばマジックを有し、このマジックを付けたり、外したりすることで、ベビーカー５０のフレーム５２ａ、５２ｂ、５２ｃにそれぞれ着脱することができる。
【００５８】
このベルト６１は、肩掛け用のベルトと、首掛け用のベルトを兼用することができるよう、肩掛け用のベルト部分６１ａと首掛け用のベルト部分６１ｂが設けられている。係止部６３ｂと係止部６３ｃの間のベルト部分が、肩掛け用のベルト部分６１ａであり、係止部６３ａと係止部６３ｂの間のベルト部分が、首掛け用のベルト部分６１ｂである。
ベビーカー５０を折り畳んだ状態で、長さ調整部材６２の長さを調整し、肩掛け用のベルト部分６１ａの長さを長くし、肩掛け用のベルト部分６１ａを肩に掛けてベビーカー５０を持ち運ぶことができる。また、ベビーカー５０を折り畳まない状態で、長さ調査部材６２の長さを調整し、首掛け用のベルト部分６１ｂの長さを長くし、首掛け用のベルト部分６１ｂを首に掛けて両手でベビーカー５０の適当な部分を持ち、ベビーカー５０を容易に運ぶことができる。このように、補助具６０によれば、ベビーカーの持ち運び時に、使用者の負担を軽減しながら高く持ち上げることができる。
本実施形態によれば、カート類の持ち運び時に、使用者の負担を軽減しながら高く持ち上げることができる。また、カート類を肩等に掛ける構造としたことにより、カート類を手で持ち運ぶ場合に比べて重量感が極めて軽減される。さらに、持ち上げる高さも大きくなるので、段差のある道路や階段の上り下りも楽になる。これにより、使用者の負担が軽減できる。
【符号の説明】
【００５９】
１０      ベビーカーを担ぐための補助具
１１Ａ、１１Ｂ  肩掛け用のベルト
１２      汚れ防止カバー
１２Ａ    カバー本体部
１２Ｂ    保護部
１３      バンド
１４      長さ調整部材
１５Ａ、１５Ｂ  係止部
１６Ａ、１６Ｂ  面ファスナー
１８      取り付け紐
１９      袋状部
２０      錘部材
２０ａ    中央錘部材
２０ｂ    保護用錘部材
２２      バックル
Ｓ        隙間
５０      ベビーカー
５１      シート
５２      フレーム(本体部分)
５３      車輪
５３Ａ    前輪
５３Ｂ    後輪
５４      前脚ユニット
５４ａ    上側水平部(手押し用ハンドル部)
５５      後脚ユニット
５６      折り畳みユニット
５７Ａ、５７Ｂ    下側横棒
６０      ベビーカーを担ぐための補助具
６１      ベルト
６２      長さ調整部材
６３ａ、６３ｂ、６３ｃ  係止部
【図１】
0003220065.tif 000003
【図２】
0003220065.tif 000004
【図３】
0003220065.tif 000005
【図４】
0003220065.tif 000006
【図５】
0003220065.tif 000007
【図６】
0003220065.tif 000008
【図７】
0003220065.tif 000009
【図８】
0003220065.tif 000010
【手続補正書】
【提出日】平成30年12月10日(2018.12.10)
【手続補正１】
【補正対象書類名】実用新案登録請求の範囲
【補正対象項目名】全文
【補正方法】変更
【補正の内容】
【実用新案登録請求の範囲】
【請求項１】
車輪と共に本体部分を折り畳み可能なカート類を担ぐための補助具であって、
長さを調整可能な長さ調整部材を有するベルトを備え、
前記ベルトは、前記カート類に対して着脱可能に取り付ける係止部を有する、ことを特徴とするカート類の補助具。
【請求項２】
前記ベルトは、前記カート類の前記本体部分の上下の部分に、それぞれ上下端側が着脱可能に取り付けられる左右１対の肩掛け用ベルトであり、
前記カート類を担ぐ背当て側に配設されるカバー本体部と前記カバー本体部の左右両端部から前側へ前記車輪の外側面を覆って折り込まれる左右１対の保護部とを有する汚れ防止カバーと、
前記汚れ防止カバーの前記保護部を前記車輪の外側面に当接保持しておく拘束部材と、
を備えることを特徴とする請求項１に記載のカート類の補助具。
【請求項３】
前記肩掛け用のベルトは、前記カート類の前記本体部分の前記上下の部分に各々対応して、リング状に形成されて前記本体部分に装着固定される解除可能な帯状の係止部を設けている、ことを特徴とする請求項２に記載のカート類の補助具。
【請求項４】
前記汚れ防止カバーは、前記カート類の前記本体部分に垂れ下げ状態で取り付けられ、前記カバー本体部の下端部分と前記左右１対の保護部の下端部分には、前記下端部分に沿って略水平に配設された棒状の錘部材を備える、ことを特徴とする請求項２又は請求項３に記載のカート類の補助具。
【請求項５】
前記汚れ防止カバーは、小物入れ用のポケットを有する、ことを特徴とする請求項２から４までのいずれか１項に記載のカート類の補助具。
【請求項６】
前記錘部材は、前記カバー本体部の前記下端部分に設けられた中央錘部材と前記保護部の前記下端部分に設けられた左右１対の保護用錘部材の、３つの錘部材に各々分割されているとともに、
前記下端部分は、前記中央錘部材と前記保護用錘部材との間で各々折り曲げ可能に形成されている、
ことを特徴とする請求項４に記載のカート類の補助具。
【請求項７】
前記拘束部材は、前記カート類の前記車輪を前記汚れ防止カバーの外側から前記汚れ防止カバーと共に締め付け可能なバンドで形成されている、ことを特徴とする請求項２から６までのいずれか１項に記載のカート類の補助具。
【請求項８】
汚れ防止カバーは、前記カート類の前記本体部分の背面に、折り畳んで吊り下げ可能に形成されている、ことを特徴とする請求項２から７までのいずれか１項に記載のカート類の補助具。
【請求項９】
前記ベルトは、肩掛け用のベルトと首掛け用のベルトを兼用できることを特徴とする請求項１に記載のカート類の補助具。
【手続補正２】
【補正対象書類名】明細書
【補正対象項目名】００１４
【補正方法】変更
【補正の内容】
【００１４】
請求項６に関して、請求項４に記載のカート類の補助具であって、前記錘部材は前記カバー本体部の前記下端部分に設けられた中央錘部材と、前記保護部の前記下端部分に設けられた左右一対の保護用錘部材の、３つの錘部材に各々分割されているとともに、
前記下端部分は前記中央錘部材と前記保護用錘部材との間で各々折り曲げ可能に形成されている、ことを特徴とする。
【手続補正３】
【補正対象書類名】明細書
【補正対象項目名】００１６
【補正方法】変更
【補正の内容】
【００１６】
請求項８に関して、請求項２から７までのいずれか１項に記載のカート類の補助具であって、汚れ防止カバーは、前記カート類の前記本体部分の背面に、折り畳んで吊り下げ可能に形成されている、ことを特徴とする。